(57)【要約】【課題】微細気泡をより微細化してより効果的に大量に発生することのできる微細気泡発生ノズルを提供する。【解決手段】気体溶解装置において気体を溶解した溶解水の供給を受けて微細気泡を発生するための微細気泡発生ノズル１であって、オリフィス７，網部材９を通過することによって発生した気泡を微細化するために前記気泡を当接する当接壁面１５を備えた圧力解放室１１の周壁部に気泡流出孔１７を備え、前記圧力解放室１１の周囲に備えた流体通路１９の断面積を前記気泡流出孔１７の断面積にほぼ等しく設け、前記流体通路１９から出口２５に至る出口通路の途中に、前記流体通路１９から気泡を含んで噴出される流体に渦流を発生させて攪拌すると共に圧力を解放して気泡の発生を促進しかつ気泡を当接してより微細化するための当接壁面２７を備えた気泡発生微細化促進室２１を備え、前記当接壁面２７は粗面に形成してある。【選択図】図１
2010022919.tif 000002
【特許請求の範囲】
【請求項１】
気体溶解装置において気体を溶解した溶解水の供給を受けて微細気泡を発生するための微細気泡発生ノズルであって、オリフィス，網部材を通過することによって発生した気泡を微細化するために前記気泡を当接する当接壁面を備えた圧力解放室の周壁部に気泡流出孔を備え、前記圧力解放室の周囲に備えた流体通路の断面積を前記気泡流出孔の断面積にほぼ等しく設け、前記流体通路から出口に至る出口通路の途中に、前記流体通路から気泡を含んで噴出される流体に渦流を発生させて攪拌すると共に圧力を解放して気泡の発生を促進しかつ気泡を当接してより微細化するための当接壁面を備えた気泡発生微細化促進室を備えていることを特徴とする微細気泡発生ノズル。
【請求項２】
請求項１に記載の微細気泡発生ノズルにおいて、前記気泡発生微細化促進室に備えた当接壁部は粗面に形成してあることを特徴とする微細気泡発生ノズル。
【発明の詳細な説明】
【技術分野】
【０００１】
本発明は、気体を飽和状態に溶解した溶解水から、例えばミクロン単位の微細な気泡を発生させるための微細気泡発生ノズルに係り、さらに詳細には、発生した気泡を含む流体の攪拌を効果的に行ってより多くの微細な気泡を発生することができる微細気泡発生ノズルに関する。
【背景技術】
【０００２】
例えば空気などの適宜の気体を飽和状態に溶解した溶解水からミクロン単位の微細な気泡を発生させるための微細気泡発生ノズルは既に開発されている（例えば特許文献１参照）。
【特許文献１】特許第３７８２０９０号公報
【発明の開示】
【発明が解決しようとする課題】
【０００３】
前記特許文献１に記載の微細気泡発生ノズルは、気体溶解装置において気体を溶解した溶解水の供給を受ける中空パイプ内に、オリフィス，網部材を備え、上記オリフィス，網部材を通過することによって発生した微細気泡を、前記中空パイプに取付けた嵌合パイプの奥壁部に衝突し攪拌して気泡の細分化を行っている。そして、前記嵌合パイプの周壁に設けた連通孔から周囲に噴出された流体は、前記嵌合パイプの周囲に形成された環状の空間においてさらに圧力を解放され、かつ対流，攪拌されて気泡をさらに細分化しているものである。
【０００４】
上記構成においては、微細な気泡が多量発生するので望ましい構成であるが、嵌合パイプの周囲に、流体の圧力を解放しかつ対流，攪拌するための環状の空間を備えた構成であるから、全体的構成が比較的大径になるという問題がある。また、前記環状の空間は、嵌合パイプの連通孔から流出した流体を、前記連通孔からの噴出に従って対流し攪拌するものであるから、発生した微細気泡をより効果的にさらに微細化することや微細気泡の発生をより促進する上においてさらなる改善が求められていた。
【課題を解決するための手段】
【０００５】
本発明は、前述のごとき問題に鑑みてなされたもので、気体溶解装置において気体を溶解した溶解水の供給を受けて微細気泡を発生するための微細気泡発生ノズルであって、オリフィス，網部材を通過することによって発生した気泡を微細化するために前記気泡を当接する当接壁面を備えた圧力解放室の周壁部に気泡流出孔を備え、前記圧力解放室の周囲に備えた流体通路の断面積を前記気泡流出孔の断面積にほぼ等しく設け、前記流体通路から出口に至る出口通路の途中に、前記流体通路から気泡を含んで噴出される流体に渦流を発生させて攪拌すると共に圧力を解放して気泡の発生を促進しかつ気泡を当接してより微細化するための当接壁面を備えた気泡発生微細化促進室を備えていることを特徴とするものである。
【０００６】
また、前記微細気泡発生ノズルにおいて、前記気泡発生微細化促進室に備えた当接壁部は粗面に形成してあることを特徴とするものである。
【発明の効果】
【０００７】
本発明によれば、圧力解放室の周壁部に設けた気泡流出孔から気泡発生微細化促進室に至ると、さらに圧力解放が行われると共に渦流が発生して攪拌が効果的に行われると共に、気泡発生微細化促進室の当壁部へ当接して気泡のさらなる微細化が促進されるものである。
【発明を実施するための最良の形態】
【０００８】
図１を参照するに、本発明の実施形態に係る微細気泡発生ノズル１は、筒状のノズル本体３を備えており、このノズル本体３の一端部には、気体溶解装置（図示省略）において、例えば空気等の適宜の気体を飽和状態に溶解した溶解水の供給を受けるために、適宜の配管，ホース等を介して前記気体溶解装置と接続するための接続具５が備えられている。この接続具５の下流側（図１において右側）には適数の小孔を備えたオリフィス７が備えられており、このオリフィス７の下流側には、オリフィス７を通過することによって発生した気泡を微細化するための網部材９が備えられている。
【０００９】
さらに、前記網部材９の下流側には、圧力解放室１１を備えた筒状のキャップ部材１３が備えられている。このキャップ部材１３には、前記網部材９を通過して下流方向へ直進する流体が当接する当接壁面１５が備えられており、この当接壁面１５は微細な凹凸を備えた粗面に形成してある。そして、前記キャップ部材１３における周壁部には、適数の気泡流出孔１７が備えられている。
【００１０】
前記キャップ部材１３の外周面と前記ノズル本体３の内周面との間には、前記気泡流出孔１７から流出した流体を前記ノズル本体３の他端部側へ指向流出する環状の流体通路１９が形成してある。上記流体通路１９は、前記気泡流出孔１７から流出した流体の流速が、前記気泡流出孔１７からの流出速度を維持するように形成してある。換言すれば、全気泡流出孔１７の総断面積と前記流体通路１９の断面積はほぼ等しく設けてある。したがって、圧力解放室１１から気泡流出孔１７を経て流体通路１９へ流出した流体は、流体通路１９内において圧力解放されることなく高速を保持して環状に噴出されることになる。
【００１１】
前記流体通路１９から噴出される流体は、前記圧力解放室１１内において発生した微細な気泡を含んでいるものである。この流体通路１９から噴出される流体からさらに微細気泡を発生させると共に、発生した気泡をより微細にする微細化を促進するために、前記ノズル本体３の他端側には気泡発生微細化促進室２１を備えた排出管２３が接続してある。
【００１２】
前記気泡発生微細化促進室２１は、前記流体通路１９から噴出された流体の圧力をさらに解放しかつ攪拌して気泡の発生を促進するために、前記流体通路１９から単位時間当りに噴出される流体の量に比較して大きな空間に形成してあり、出口２５は、前記流体通路１９から噴出される流体の噴出方向に対してほぼ直交する方向に形成してある。そして前記流体通路１９から噴出された流体が前記出口２５に至る出口通路の途中には、前記流体通路１９から噴出された流体が直接当接する当接壁面２７が備えられている。この当接壁面２７は、当接した微細気泡をより微細化するために、微小（微細）な凹凸部を備えた粗面に形成してある。
【００１３】
以上のごとき構成において、気体を飽和状態に溶解した溶解水が気体溶解装置から供給されてオリフィス７を通過すると、溶解水の圧力が解放されるので気泡が発生する。そして、発生した気泡は、網部材９を通過することによって細分化されると共に圧力解放室１１においてさらに気泡を発生し、かつ圧力解放室１１の当接壁面１５へ当接されて発生した気泡のさらなる細分化が行われる。
【００１４】
前記圧力解放室１１内の気泡を含む流体は気泡流出孔１７から環状の流体通路１９へ噴出される。この流体通路１９の断面積は、気泡流出孔１７の断面の総計にほぼ等しいので、流体は流体通路１９内で圧力を解放されることなく、気泡流出孔１７から噴出された噴出速度にほぼ等しい高速を維持して排出管２３の気泡発生微細化促進室２１へ矢印で示すように噴出される。
【００１５】
前記流体通路１９から気泡発生微細化促進室２１へ噴出された環状の流体は圧力が解放されると共に流体の一部には、キャップ部材１３の背面（当接壁面１５の反対側の面）へ回り込む渦流が発生して攪拌が効果的に行われる。したがって、気泡発生微細化促進室２１内に乱流が生起され、微細気泡の発生が促進される。そして、出口２５に至る途中において流体が当接壁面２７に当接することにより、微細気泡の微細化がより促進されるものである。
【００１６】
したがって、全体的構成の小径化を図ることができることは勿論のこと、粒径がミクロン単位のより微細な気泡をより効果的に大量に発生することができるものである。換言すれば、気体溶解装置に改良を加えることなく、すなわち溶解水の条件が従来と同一であっても、より効果的に微細な気泡をより微細化してより大量に発生させることができるものである。よって、例えば溶槽内にミクロン単位の微細な気泡を発生させると、従来よりもより濃厚な乳白色となるものである。
【００１７】
ところで、本発明は前述したごとき実施形態に限ることなく適宜の変更を行うことにより、その他の形態でも実施可能である。例えば図２に示すように、排出管２３を前記キャップ部材１３に類似の構成として当接壁面２７の中央部に出口２５を備えた構成とすることも可能である。また、前記流体通路１９は環状に限ることなく、キャップ部材１３に備えた各気泡流出孔１７に対応した部分のみに流体通路１９を形成した構成とすることも可能である。この場合、複数の流体通路１９はキャップ部材１３の外周面に沿って周方向に備えられることになるものである。
【図面の簡単な説明】
【００１８】
【図１】本発明の実施形態に係る微細気泡発生ノズルの断面説明図である。
【図２】微細気泡発生ノズルの別の形態を示す断面説明図である。
【符号の説明】
【００１９】
１    微細気泡発生ノズル
３    ノズル本体
５    接続具
７    オリフィス
９    網部材
１１    圧力解放室
１３    キャップ部材
１５，２７    当接壁面
１７    気泡流出孔
１９    流体通路
２１    気泡発生微細化促進室
２３    排出管
２５    出口
【図１】
2010022919.tif 000003
【図２】
2010022919.tif 000004